(57)【要約】【課題】製造元などが不具合原因の調査を容易にすることができる炊飯器を提供すること。【解決手段】炊飯器は、操作を受け付ける操作手段と、リセットがかかったらイニシャル処理を行うマイコンと、マイコンにリセットがかかっても記憶内容を保持するように構成され、少なくともマイコンがリセットした回数を記憶する記憶手段と、記憶手段に記憶されている情報を表示する表示手段と、を備え、マイコンは、イニシャル処理を行う際にリセット回数をインクリメントして記憶手段に記憶し、操作手段でリセット回数表示操作を受け付けたら、記憶手段に記憶されているリセット回数を表示手段に表示するものである。【選択図】図１
2020028317.tif 000002
【特許請求の範囲】
【請求項１】
操作を受け付ける操作手段と、
リセットがかかったらイニシャル処理を行うマイコンと、
前記マイコンにリセットがかかっても記憶内容を保持するように構成され、少なくとも前記マイコンがリセットした回数を記憶する記憶手段と、
前記記憶手段に記憶されている情報を表示する表示手段と、を備え、
前記マイコンは、
前記イニシャル処理を行う際にリセット回数をインクリメントして前記記憶手段に記憶し、
前記操作手段でリセット回数表示操作を受け付けたら、前記記憶手段に記憶されているリセット回数を前記表示手段に表示するものである
炊飯器。
【請求項２】
通電時にパルス波形を生成して前記マイコンに入力するタイムベース回路を備え、
前記マイコンは、
前記パルス波形が入力されているか否かを前記記憶手段に記憶し、
前記イニシャル処理を行う際に、
リセット時に前記パルス波形が入力されていた場合は、通電時のリセットと判定し、通電時のリセット回数をインクリメントして前記記憶手段に記憶し、
リセット時に前記パルス波形が入力されていなかった場合は、停電時のリセットと判定し、停電時のリセット回数をインクリメントして前記記憶手段に記憶するものである
請求項１に記載の炊飯器。
【請求項３】
前記マイコンは、
前記操作手段でリセット回数表示操作を受け付けたら、前記記憶手段に記憶されている通電時のリセット回数と停電時のリセット回数とを分けて前記表示手段に表示するものである
請求項２に記載の炊飯器。
【請求項４】
前記パルス波形は、
商用電源の電源周波数に同期して生成される、あるいは電源周波数を整数倍または整数分の１倍して生成される
請求項２または３に記載の炊飯器。
【請求項５】
外部の情報端末機器と通信可能な通信基板を備え、
前記マイコンは、
前記情報端末機器と前記通信基板との通信が成立したら、前記記憶手段に記録されているリセット回数を、前記通信基板を介して前記情報端末機器に送信し、前記情報端末機器に該リセット回数を表示させるものである
請求項１〜４のいずれか一項に記載の炊飯器。
【請求項６】
前記マイコンは、
前記イニシャル処理を行う際にリセット回数をインクリメントした後、該リセット回数が基準値を超えたと判定した場合、
前記表示手段を用いて、処置を促す情報を表示させるものである
請求項１〜５のいずれか一項に記載の炊飯器。
【請求項７】
前記マイコンは、
前記イニシャル処理を行う際にリセット回数をインクリメントした後、該リセット回数が基準値を超えたと判定した場合、
前記情報端末機器を用いて、処置を促す報知を行うものである
請求項５に記載の炊飯器。
【請求項８】
報知手段を備え、
前記マイコンは、
前記イニシャル処理を行う際にリセット回数をインクリメントした後、該リセット回数が基準値を超えたと判定した場合、
前記報知手段を用いて、処置を促す報知を行うものである
請求項１〜５のいずれか一項に記載の炊飯器。
【請求項９】
前記マイコンは、
前記操作手段で消去操作を受け付けたら、前記記憶手段に記憶されているリセット回数を消去するものである
請求項１〜８のいずれか一項に記載の炊飯器。
【請求項１０】
前記記憶手段は、
記憶内容の消去が可能な第１の記憶手段と、記憶内容の消去が不可能な第２の記憶手段とから構成されているものである
請求項１〜９のいずれか一項に記載の炊飯器。
【発明の詳細な説明】
【技術分野】
【０００１】
本発明は、バックアップ機能を備えた炊飯器に関するものである。
【背景技術】
【０００２】
従来、バックアップ機能を備えた炊飯器がある（例えば、特許文献１参照）。
【０００３】
特許文献１の炊飯器は、制御基板に実装されたマイコンを備え、そのマイコンには、ユーザが過去炊飯した際に設定した炊飯条件などの履歴を記憶する記憶手段としてＲＡＭ（Ｒａｎｄｏｍ  Ａｃｃｅｓｓ  Ｍｅｍｏｒｙ）が設けられている。さらにこの炊飯器は、ユーザが電源コードと商用電源との接続を解除した際にも、ＲＡＭに記憶した情報を維持したり、現在時刻をカウントし続けたりするために、リチウム電池などを用いたバックアップ回路を備えている。この構成により、炊飯器が商用電源に常時接続されていなくても、ユーザが過去炊飯した際に設定した炊飯条件などの履歴を、メーカが確認することができる。
【先行技術文献】
【特許文献】
【０００４】
【特許文献１】特許第４０１５９３２号公報
【発明の概要】
【発明が解決しようとする課題】
【０００５】
従来、炊飯器を使用していて、「時計情報が狂っている」、「予約時間どおりに炊き上がらない」、「炊飯が（途中で止まって）できない」、「ご飯がおいしく炊けない」、などの不具合が生じた場合、市場から製造元などに対して不具合原因の調査依頼がある。しかしながら、特許文献１の炊飯器の構成では、上記のような不具合内容であった場合、それがマイコンがリセットして発生したものなのか、あるいは他の原因で発生したものなのか分からなかった。そのため、製造元などが不具合原因を調査するのが難しく、炊飯器の品質向上に役立てられないという課題があった。
【０００６】
本発明は、以上のような課題を解決するためになされたもので、製造元などが不具合原因の調査を容易にすることができる炊飯器を提供することを目的としている。
【課題を解決するための手段】
【０００７】
本発明に係る炊飯器は、操作を受け付ける操作手段と、リセットがかかったらイニシャル処理を行うマイコンと、前記マイコンにリセットがかかっても記憶内容を保持するように構成され、少なくとも前記マイコンがリセットした回数を記憶する記憶手段と、前記記憶手段に記憶されている情報を表示する表示手段と、を備え、前記マイコンは、前記イニシャル処理を行う際にリセット回数をインクリメントして前記記憶手段に記憶し、前記操作手段でリセット回数表示操作を受け付けたら、前記記憶手段に記憶されているリセット回数を前記表示手段に表示するものである。
【発明の効果】
【０００８】
本発明に係る炊飯器によれば、イニシャル処理を行う際にリセット回数をインクリメントして記憶手段に記憶し、操作手段でリセット回数表示操作を受け付けたら、記憶手段に記憶されているリセット回数を表示手段に表示する。そうすることで、製造元などが不具合原因の調査を容易にすることができる。
【図面の簡単な説明】
【０００９】
【図１】本発明の実施の形態１に係る炊飯器の構成を示す縦断面の概略図である。
【図２】本発明の実施の形態１に係る炊飯器の機能構成を示すブロック図である。
【図３】本発明の実施の形態１に係る炊飯器を平面視した際の操作手段および表示手段を示した図である。
【図４】本発明の実施の形態１に係る炊飯器のマイコンがリセットした回数が表示手段に表示された図である。
【図５】本発明の実施の形態２に係る炊飯器の機能構成を示すブロック図である。
【図６】本発明の実施の形態２に係る炊飯器のマイコンがリセットした回数が表示手段に表示された図である。
【図７】本発明の実施の形態３に係る炊飯器の機能構成を示すブロック図である。
【図８】本発明の実施の形態３に係る炊飯器のマイコンがリセットした回数を情報端末機器に表示した図である。
【図９】本発明の実施の形態１〜３に係る炊飯器のマイコンがリセットした回数および処置の表示を示す図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る炊飯器１の構成を示す縦断面の概略図である。図２は、本発明の実施の形態１に係る炊飯器１の機能構成を示すブロック図である。図３は、本発明の実施の形態１に係る炊飯器１を平面視した際の操作手段４０および表示手段５０を示した図である。
まず、図１〜図３を参照して、本実施の形態１に係る炊飯器１の全体構成およびマイコン動作について説明する。
【００１２】
本実施の形態１に係る炊飯器１は、水および米を含む調理物を収容する内鍋１０と、加熱手段２０と、加熱基板２１と、マイコン３０と、操作手段４０と、表示手段５０と、マイコン３０を実装する制御基板３１とを有している。
【００１３】
加熱手段２０は、例えば加熱コイルからなり、水および米を含む調理物を収容する内鍋１０を誘導加熱するものである。加熱基板２１は、マイコン３０からの制御指令信号をもとに加熱手段２０の加熱制御を行うものである。加熱手段２０が加熱コイルの場合、加熱基板２１は、加熱手段２０の通電制御を行うことで内鍋１０を誘導加熱する。なお、加熱手段２０はシーズヒータなどであってもよい。
【００１４】
制御基板３１に実装されたマイコン３０は、あらかじめ記憶された各炊飯メニューに従って、予熱、炊飯、炊き上げ、および、むらしの各工程を経て炊飯処理を実行した後、続いて保温処理に移行するプログラムを組込んだＲＯＭ（図示省略）が設けられている。また、このマイコン３０には、ユーザが設定した炊飯条件などを記憶するＲＡＭ（図示省略）が設けられている。また、マイコン３０には、マイコン３０にリセットがかかっても記憶内容を保持する記憶手段３２を有している。この記憶手段３２は、例えば不揮発性メモリである。なお、本実施の形態１では、マイコン３０が記憶手段３２を有している構成としたが、それに限定されず、記憶手段３２がマイコン３０とは別体として設けられている構成でもよい。
【００１５】
さらに、制御基板３１内には、ユーザが炊飯器１の電源コード（図示省略）と商用電源との接続を解除した際に、マイコン３０のＲＡＭに記憶されている情報を維持するとともに、現在時刻をカウントし続けるためのリチウム電池などを用いたバックアップ回路３３が設けられている。以下、電源コードと商用電源とを接続した状態を通電と表現し、電源コードと商用電源とを接続せず解除した状態を停電と表現する。なお、バックアップ回路３３は、制御基板３１内ではなく加熱基板２１内に設けられていてもよい。
【００１６】
操作手段４０は、ユーザが適宜選択して押下することで米種および調理メニューなどの設定操作を受け付けるもので、例えばタクトスイッチまたは静電式スイッチである。操作手段４０は、「白米」、「無洗米」、「玄米」などの米種を、「お米」キーで設定可能となっている。また、通常の調理よりも早い時間で炊き上げる「早炊き」を「早炊き選択」キーで設定可能となっている。また、通常の調理よりもじっくり時間をかけ、お米の甘みを熟成させる炊き方を「芳潤炊き」キーで設定可能となっている。その他、「おかゆ」、「炊込み」、「エコ炊飯」などの調理方法に関するメニューについては、「メニュー」キーで設定可能となっている。さらに、予約炊飯の設定は「予約」キーで、現在時刻および予約時間の設定は「時／分」キーで、炊飯の開始指示は「炊飯」キーで、保温加熱指示および各種設定の取消は「切／保温」キーでそれぞれ設定可能となっている。なお、本実施の形態１に係る炊飯器１は、これらのキー構成でないと成り立たないというわけではなく、上記以外のキー構成であってもよい。
【００１７】
表示手段５０は、例えば液晶パネルからなり、各種の表示情報を表示するものである。より具体的に、表示手段５０は、ユーザによる選択操作および設定操作に応じて、米種および調理メニューなどの情報を切替えて表示するものである。また、表示手段５０は、調理完了までに要する時間の目安となる目安時間および調理完了までの残り時間を表示するものである。
【００１８】
次に、本実施の形態１に係る炊飯器１のマイコン３０の動作について説明する。
前述のとおり、炊飯器１が停電状態である場合、バックアップ回路３３からマイコン３０に電源が供給されているため、時計情報の更新およびユーザが設定した炊飯条件などの履歴をＲＡＭに記憶保持している状態である。
【００１９】
一方、炊飯器１が通電状態である場合、マイコン３０は、操作手段４０の操作を待つ待機状態になる。そして、この待機状態で操作手段４０のいずれかのキーが操作されると、マイコン３０は、そのキーに応じた処理を実行する。
【００２０】
また、炊飯器１が通電時であるか否かによらず、何らかの因子によってマイコン３０にリセットがかかった場合、例えばユーザが設定した炊飯条件などの履歴が消失し、現在時刻の情報などが初期状態に戻る。
【００２１】
ここで述べているリセットは、例えば炊飯器１が停電状態の場合にマイコン３０を駆動するのに必要な電源がバックアップ回路３３から供給できていない時、通電状態の場合にウォッチドッグタイマが作動した時、および、通電状態か停電状態かによらず外来ノイズなどにより誤動作が発生した時などに発生する。
【００２２】
リセットが発生した際、マイコン３０はイニシャル処理を行う。なお、イニシャル処理には、ポート処理の他、記憶手段３２に対するデータの読み出しおよび書込みの処理も含まれる。マイコン３０は、イニシャル処理の中でイニシャルカウンタの値、すなわちリセットが発生した回数をインクリメントし、そのイニシャルカウンタの値を記憶手段３２に書込む。こうすることにより、マイコン３０がリセットした回数をカウントできる。
【００２３】
なお、前述のマイコン３０を駆動するのに必要な電源の閾値は、イニシャル処理を適切に行える動作可能電圧よりも高い電圧として規定される。これにより、電源が当該閾値を下回った場合でも、マイコン３０によりイニシャル処理が適切に行われる。
【００２４】
次に、マイコン３０がリセットした回数を表示手段５０に表示する方法について説明する。なお、以下説明はあくまで一例であり、これにより本発明が限定されるものではない。
【００２５】
まず、炊飯器１が通電状態のときに、マイコン３０が操作手段４０の操作を待つ待機状態のとき、ユーザが「お米」キーを５秒間以上長押しする。これにより、履歴を確認するモードへと移行する。次に、ユーザが「メニュー」キーを押すなどのリセット回数表示操作を行ったら、表示手段５０には履歴の項目と、その内容が表示される。
【００２６】
図４は、本発明の実施の形態１に係る炊飯器１のマイコン３０がリセットした回数が表示手段５０に表示された図である。なお、図４において、表示手段５０の時刻表示部の内、時桁で「０１」、分桁で「０３」と表示されている。これは、履歴項目の０１番目に格納されている、マイコン３０がリセットした回数について表示し、かつその回数が過去３回あったことを表している。なお、項目および内容を示すのに１０進数である必要はなく、Ａ〜Ｆまで拡大した１６進数を用いてもよい。
【００２７】
以上説明したように、本実施の形態１によれば、マイコン３０がリセットしたかどうかを履歴に残すことで、「時計情報が狂っている」、「予約時間どおりに炊き上がらない」、「炊飯が(途中で止まって)できない」、「ご飯がおいしく炊けない」、などという、調査が難しそうな市場からの不具合報告だった場合でも、それがマイコン３０がリセットして起きたものなのか、それとも他の原因で発生したものなのかの絞り込みに役立てることができ、調査の信頼性がより向上する。
【００２８】
また、マイコン３０がリセットした回数を記憶することで、例えば炊飯器１の生産日に対して時間が経過したことによるバックアップ電源の寿命でリセットが発生している可能性がある、または、時間があまり経過していないあるいは回数が少ないので外来ノイズなどによる誤動作でリセットが発生している可能性があるなど、原因の絞り込みを深く行うことができる。
【００２９】
また、記憶手段３２にリセット回数を書き込むことでマイコン３０がリセットした回数を安定して保持することができる。
【００３０】
また、記憶手段３２に書き込まれているマイコン３０がリセットした回数を、操作手段４０を用いて表示手段５０に表示することで、開発担当者のみならず、メーカの修理担当者も容易に正確なリセット回数の情報を得ることができる。そのため、関係者へスピーディーに情報を展開することができる。
【００３１】
以上、本実施の形態１に係る炊飯器１は、操作を受け付ける操作手段４０と、リセットがかかったらイニシャル処理を行うマイコン３０と、マイコン３０にリセットがかかっても記憶内容を保持するように構成されている。また、少なくともマイコン３０がリセットした回数を記憶する記憶手段３２と、記憶手段３２に記憶されている情報を表示する表示手段５０と、を備えている。また、マイコン３０は、イニシャル処理を行う際にリセット回数をインクリメントして記憶手段３２に記憶し、操作手段４０でリセット回数表示操作を受け付けたら、記憶手段３２に記憶されているリセット回数を表示手段５０に表示するものである。
【００３２】
本実施の形態１に係る炊飯器１によれば、イニシャル処理を行う際にリセット回数をインクリメントして記憶手段３２に記憶し、操作手段４０でリセット回数表示操作を受け付けたら、記憶手段３２に記憶されているリセット回数を表示手段５０に表示する。そうすることで、炊飯器１の不具合がマイコン３０のリセットで発生したものなのか、あるいは他の原因で発生したものなのか分かるため、製造元などが不具合原因の調査を容易にすることができる。
【００３３】
実施の形態２．
図５は、本発明の実施の形態２に係る炊飯器１の機能構成を示すブロック図である。図６は、本発明の実施の形態２に係る炊飯器１のマイコン３０がリセットした回数が表示手段５０に表示された図である。
【００３４】
以下、本発明の実施の形態２について説明するが、本実施の形態２に係る炊飯器１は、実施の形態１における図１〜図３の例示と同様の構成を有するため、各構成部材については同一の符号を用いて説明は省略する。ただし、本実施の形態２においては、図５に示すように、炊飯器１にタイムベース回路６０が追加されている。
【００３５】
タイムベース回路６０は、炊飯器１が通電時の場合、商用電源の電源周波数に同期するようにパルス波形を生成する、あるいは、電源周波数を整数倍または整数分の１倍してパルス波形を生成するものである。タイムベース回路６０によって生成されたパルス波形は、マイコン３０に入力され、炊飯器１の動作を指示する際の時間基準に使われる。例えば、商用電源が５０Ｈｚの場合、タイムベース回路６０は２０ｍｓあるいは１０ｍｓごとなどの周期のパルス波形を生成し、商用電源が６０Ｈｚの場合、タイムベース回路６０は１６．７ｍｓあるいは８．３ｍｓごとなどの周期のパルス波形を生成する。
【００３６】
次に、本実施の形態２に係る炊飯器１のマイコン３０の動作について説明する。なお、炊飯器１が停電時の場合の動作は実施の形態１と同様であるため、説明を省略する。
【００３７】
炊飯器１が通電時の場合、タイムベース回路６０によって生成されたパルス波形がマイコン３０に入力される。また、マイコン３０は、パルス波形が連続で入力されているか否かを記憶手段３２に記憶する。
【００３８】
炊飯器１が何らかの因子によってマイコン３０にリセットがかかり、マイコン３０がイニシャル処理を行う際に、マイコン３０は、マイコン３０のリセットが、炊飯器１が通電時に発生したか否かを判定する。具体的には、マイコン３０は、リセット時にパルス波形が入力されていた場合は、炊飯器１が通電時だった時のリセットと判定し、リセット時にパルス波形が入力されていなかった場合は、停電時だった時のリセットと判定する。そして、マイコン３０は、通電時あるいは停電時に該当するリセット回数をインクリメントして記憶手段３２に記憶する。
【００３９】
例として、本実施の形態２では、実施の形態１と同様に操作手段４０を用い、炊飯器１のマイコン３０にリセットがかかった履歴を表示した時の表示手段５０を図６に示す。ここでは、画素のＯＮ／ＯＦＦで表示を自在に作れるフルドット液晶を想定している。本実施の形態２では、表示手段５０の中で、「通電時  ５回」、「停電時  ２回」と表示されるようになっている。なお、実施の形態１で説明したように、図４のようなセグメントのＯＮ／ＯＦＦをするセグメント型液晶の場合は、例えばはじめに、通電時にマイコン３０がリセットした回数を表示する。その後、「メニュー」キーで次の項目へ送り、そこに停電時にマイコン３０がリセットした回数を記憶してもよい。
【００４０】
ここで、従来の炊飯器では、マイコンがリセットして不具合が発生したものだとしても、不具合の発生頻度が分からない。そのため、外来ノイズを受けたあるいはマイコンのウォッチドッグタイマが働いたなどで偶発的にリセットが発生したものなのか、またはバックアップ回路からの電源が低下したことなどで連続してリセットが発生したものなのかが分からなかった。
【００４１】
以上説明したように、本実施の形態２によれば、マイコン３０のリセットが、炊飯器１が通電時に発生したか否かまで細分化して履歴に残すことで、原因の絞り込みをより深く行うことができる。なお、マイコン３０のリセットが、炊飯器１が通電時に発生した場合、主に炊飯動作中に外来ノイズなどを受けてリセットが発生した、あるいはマイコン３０が暴走してウォッチドッグタイマが働いたなどによってリセットが発生したと推定される。一方、マイコン３０のリセットが、炊飯器１が停電時に発生した場合、主にバックアップ回路３３の電源の寿命による低下でリセットが発生したと推定される。
【００４２】
なお、炊飯器１が通電時か否かを判定できるものであれば、タイムベース回路６０のみが本発明に限定されるものではない。例えば、マイコン３０に供給される電源が、バックアップ電源がＶ２、通電時がＶ１（Ｖ１＞Ｖ２）である場合、電源をモニタしておくことで、リセット時の電源がＶ１であったか否かで通電時だったかどうかを判定することができる。
【００４３】
以上、本実施の形態２に係る炊飯器１は、通電時にパルス波形を生成してマイコン３０に入力するタイムベース回路６０を備え、マイコン３０は、パルス波形が入力されているか否かを記憶手段３２に記憶し、イニシャル処理を行う際に、リセット時にパルス波形が入力されていた場合は、通電時だった時のリセットと判定し、通電時のリセット回数をインクリメントして記憶手段３２に記憶し、リセット時に前記パルス波形が入力されていなかった場合は、停電時だった時のリセットと判定し、停電時のリセット回数をインクリメントして記憶手段３２に記憶するものである。
【００４４】
本実施の形態２に係る炊飯器１によれば、マイコン３０のリセットが通電時および停電時のどちらであったかを判定し、マイコン３０がリセットした回数を、通電時と停電時とに分けて記憶手段３２に記憶するため、原因の絞り込みをより深く行うことができる。
【００４５】
実施の形態３．
図７は、本発明の実施の形態３に係る炊飯器１の機能構成を示すブロック図である。図８は、本発明の実施の形態３に係る炊飯器１のマイコン３０がリセットした回数を情報端末機器８０に表示した図である。
【００４６】
以下、本発明の実施の形態３について説明するが、本実施の形態３に係る炊飯器１は、実施の形態１、２における図１〜図３、図５の例示と同様の構成を有するため、各構成部材については同一の符号を用いて説明は省略する。ただし、本実施の形態３においては、図７に示すように、炊飯器１に通信基板７０が追加されており、さらに外部の情報端末機器８０を用いる。
【００４７】
通信基板７０は、外部の情報端末機器８０との間で直接または通信ネットワークを介して情報の授受を行うものである。通信基板７０は、無線ＬＡＮ、赤外線通信、Ｂｌｕｅｔｏｏｔｈ（登録商標）など、任意の通信規格により情報端末機器８０との通信を行う機能を有している。また、通信基板７０は、炊飯器１内、例えば制御基板３１近傍に設けられ、近距離無線通信を行う機能を有している。ここで、近距離無線通信とは、例えばＮＦＣ（Ｎｅａｒ  Ｆｉｅｌｄ  Ｃｏｍｍｕｎｉｃａｔｉｏｎ）であり、通信距離がおよそ１０ｃｍ以下の短距離無線通信規格である。
【００４８】
情報端末機器８０は、例えば高機能携帯電話であるスマートフォンであり、炊飯器１で構成されているような、表示手段と、制御基板と、炊飯器１の通信基板７０との通信を行う通信基板とを有している（いずれも図示は省略する）。
【００４９】
なお、炊飯器１のマイコン３０の動作、および、記憶手段３２にマイコン３０がリセットした回数を書込む方法に関しては、実施の形態１または２と同様なので説明は省略する。
【００５０】
次に、マイコン３０にリセットがかかった回数を情報端末機器８０に表示する方法について、近距離無線通信を想定して説明する。なお、以下説明はあくまで一例であり、これにより本発明が限定されるものではない。
【００５１】
まず、炊飯器１が通電中で、操作手段４０により設定操作を受け付けている状態において、情報端末機器８０を通信基板７０が設けられている箇所へかざす。これにより通信が成立し、記憶手段３２に書込まれたマイコン３０がリセットした回数を、制御基板３１から通信基板７０を介して情報端末機器８０に送信し、図８に示すように情報端末機器８０にマイコン３０がリセットした回数を表示させる。リセット回数は、あらかじめ情報端末機器８０にダウンロードしておいた、メーカのアプリケーションの中で表示されるようにするが、通信後にアプリケーションを自動で起動しても、アプリケーション起動後に通信してもよい。どちらの場合でも、情報端末機器８０にマイコン３０がリセットした回数を表示することができる。
【００５２】
以上、本実施の形態３に係る炊飯器１は、外部の情報端末機器８０と通信可能な通信基板７０を備えている。また、マイコン３０は、情報端末機器８０と通信基板７０との通信が成立したら、記憶手段３２に記録されているリセット回数を、通信基板７０を介して情報端末機器８０に送信し、情報端末機器８０に該リセット回数を表示させるものである。
【００５３】
本実施の形態３によれば、マイコン３０がリセットした回数を情報端末機器８０に送信し、情報端末機器８０に表示させることで、メーカのみならず、ユーザも容易に炊飯器１の動作履歴を確認することができる。そのため、例えば修理等の処置を早く促すことができる。また、炊飯器１を操作せずに確認ができるため、ユーザが誤って炊飯器１の設定を変えてしまうおそれもない。
【００５４】
また、ユーザの情報端末機器８０が受信したマイコン３０がリセットした回数を、メーカの公式なホームページなどへ転送できるシステムを構築すれば、メーカからより具体的な処置について情報を得ることができる。また、メーカも情報が集められることで、今後の品質改善をよりスピーディーに具体的に対応できる。
【００５５】
なお、前述の実施の形態１〜３において、マイコン３０は、操作手段４０から所定の操作である消去操作が入力されると、記憶手段３２に記憶してあるマイコン３０がリセットした回数を消去する形態に具体化することも望ましい。この形態により、メーカが市場不良品の修理を完了した際にリセット回数を消去すれば、修理以降のリセット回数が間違いなく確認でき、修理の妥当性について確認することができ、品質改善に向けより有効な情報を得ることができる。
【００５６】
また、前述の実施の形態１〜３において、記憶手段３２が、記憶内容の消去が可能な第１の記憶手段と、記憶内容の消去が不可能な第２の記憶手段とに分けて構成された形態に具体化することも望ましい。具体的に、記憶手段３２は、例えばＥＥＰＲＯＭなどの不揮発性メモリであり、不揮発性メモリ内に２つのエリアを確保し、１つのエリアを、所定の操作で記憶内容が消去可能な第１の記憶手段とし、もう１つのエリアを、プロテクトをかけて記憶内容の消去が不可能な第２の記憶手段とする。そして、第１の記憶手段および第２の記憶手段のそれぞれにイニシャル処理を行った回数を記憶する。この形態により、例えば第１の記憶手段に記憶されている修理後のリセット回数および処置と、第２の記憶手段に記憶されている購入後に発生した累積リセット数との比較ができる。そのため、いつでも間違いなく炊飯器１のマイコン３０のリセット発生数、および、修理の妥当性について確認することができ、品質改善に向け有効な情報を得ることができる。
【００５７】
以上、本実施の形態１〜３によれば、記憶手段３２に不揮発性メモリを用い、マイコン３０がイニシャル処理を行った回数を記憶させる。そうすることで、市場からの不具合原因の調査が難しそうな場合でも、不具合がマイコン３０のリセットで起きたものなのか、それとも他の原因で発生したものなのかの絞り込みに役立てることができ、品質改善に向け有効な情報を得ることができる。
【００５８】
図９は、本発明の実施の形態１〜３に係る炊飯器１のマイコン３０がリセットした回数および処置の表示を示す図である。
また、前述の実施の形態１〜３において、マイコン３０がリセットした回数があらかじめ設定された基準値を超えてしまった場合に、図９に示すように表示手段５０、情報端末機器８０、報知手段（図示省略）などを用い、ユーザに処置等を文字または音などで促す形態に具体化することも望ましい。この形態により、メーカからユーザへ処置についてスピーディーに連絡を行うことができるため、ユーザの不満も軽減することができる。なお、報知手段は、例えばスピーカーまたは専用のモニタなどである。また、基準値は任意に変えることができる。
【符号の説明】
【００５９】
１  炊飯器、１０  内鍋、２０  加熱手段、２１  加熱基板、３０  マイコン、３１  制御基板、３２  記憶手段、３３  バックアップ回路、４０  操作手段、５０  表示手段、６０  タイムベース回路、７０  通信基板、８０  情報端末機器。
【図１】
2020028317.tif 000003
【図２】
2020028317.tif 000004
【図３】
2020028317.tif 000005
【図４】
2020028317.tif 000006
【図５】
2020028317.tif 000007
【図６】
2020028317.tif 000008
【図７】
2020028317.tif 000009
【図８】
2020028317.tif 000010
【図９】
2020028317.tif 000011